(57)【要約】      （修正有）【課題】対象雑草の茎葉のみに除草剤を塗布して近接する有用作物への被曝の防止、作業の安全性確保と迅速化、およびシードバンクの抑制を図る除草剤の塗布装置を提供する。【解決手段】上アゴ６ａと下アゴ６ｂが支点で結合されたワニロ状の開閉自由な塗布器１と、携行可能な薬液ボトルと、塗布器１に薬液ボトルから薬液を供給する吸液ホース２ａとを備えており、上アゴ６ａと下アゴ６ｂの先端には各々雑草の葉茎をはさみ固定する固定体４ａ、４ｂが設けられており、上アゴ６ａと下アゴ６ｂの開閉動作に連動するピストン９ａを備え、薬液ボトル内の薬液を吸液ホース２ａを介してシリンダ８ａ内に吸入し、シリンダ８ａ内に入った薬液を上アゴ６ａと下アゴ６ｂの１回の開閉運動で所定量だけ上アゴ６ａのシリンダ８ａ先端に設けた空気混合体５ａに供給し、この薬液を空気と混合して泡状とし、これを挟み込んだ茎葉に塗布する構成とする。【選択図】図１
2011015661.tif 000002
【特許請求の範囲】
【請求項１】
上アゴと下アゴが支点で結合されたワニロ状の開閉自由な塗布器と、携行可能な薬液ボトルと、前記塗布器に前記薬液ボトルから薬液を供給する吸液ホースとからなり、
前記塗布器は、
前記上アゴと下アゴの先端に各々配設される固定体と、
前記支点に配設されたアゴ支点ピンに軸支される歯車装置と、
前記上アゴの長手方向に沿って固定され、ヘッド部が前記塗布器の先端側に配設されるシリンダ及びピストンと、を備え、
前記シリンダのヘッド側には、
該ヘッド部に一端を固定され、他端を前記上アゴの前記固定体を貫通して摺動可能に配設された泡噴出管に連結された通気性のジャバラと、
該ジャバラと、その内部に配設されたスポンジとで構成される空気混合体と、
前記下アゴに固定されたピンと、前記上アゴに設けられた長穴を前後に摺動可能なピンと、これら２つのピンを連結する連結板とで構成されるリンク機構と、を備え、
前記シリンダのテール側には、
中空で矩形断面を有する前記ピストンのロッドと、
該矩形ロッドの１つの面に形成され、前記歯車装置の歯車と係合するラックギアと、
前記歯車とラックギアとの係合を設定及び解除するロック機構と、
前記歯車装置の歯車を一方向のみに回転させるラチェット機構と、を備え、
前記ピストンロッドの後端側は前記吸液ホースの先端と逆止弁を介して連結されており、
前記上下のアゴを閉じることで、前記歯車装置の歯車が一定方向に所定角度回転し、これにより前記ラックギアを備える前記ロッドが所定量前進し、前記シリンダ内の薬液が押し出され、前記空気混合体内に１回の開閉による所定量の薬液が注入されるとともに、
前記リンク機構により、前記泡噴出管に連結された前記ジャバラが前記上下のアゴの閉動作に連動して収縮し、前記空気混合体内の薬液を空気と混合させて泡状とし、この所定量の泡状の薬液を前記泡噴出管の先端より噴出させて前記固定体に挟み込んだ茎葉に塗布する
ことを特徴とする除草剤の塗布装置。
【請求項２】
前記アゴ支点ピンは前記上アゴに設けられた長穴の支点穴内を上下移動可能に係止されており、
前記上アゴの長手中央部にはロック金具が、対応する下アゴ部のピンとともに設けられており、
前記ロック金具と前記ピンとを係止させ、該ピンを支点として前記上下のアゴを閉じることで、前記アゴ支点ピンを前記長穴の支点穴内の下方に移動させて前記歯車装置と前記ラック装置の係合を解除し、この状態で前記シリンダロッドを後退させることにより、前記吸液ホースを介して前記薬液ボトル内の薬液を前記シリンダ内に吸入することを特徴とする、請求項１に記載の除草剤の塗布装置。
【請求項３】
前記薬液ボトルは吸液管、吸液ホース取付け金具、空気抜きを備えることを特徴とする、請求項２に記載の除草剤の塗布装置。
【請求項４】
前記薬液ボトルの前記吸液ホース取付け金具と、前記塗布器のピストン後端には薬液流出防止弁が設けられていることを特徴とする、請求項３に記載の除草剤の塗布装置。
【発明の詳細な説明】
【技術分野】
【０００１】
本発明は畑作地の作物や庭園の樹木などに近接する雑草に除草剤を用いて除去するための除草剤の塗布装置に関する。
【背景技術】
【０００２】
従来の雑草駆除方法としては、手で引抜いたり、鎌や刈り払い機を利用して刈り取る方法と、噴霧器を用いて除草剤を雑草の茎葉に散布する方法が一般的である。
特許文献１には装置に組み込まれた薬液タンクから塗布用ローラに滴下された除草剤を雑草上に直接塗布するローラ器具について記載されている。
【０００３】
また、特許文献２には装置に組み込まれた往復動ポンプにより除草剤を供給された２本のローラにより雑草を挟んで除草剤を直接塗布するローラ器具ついて記載されている。
【先行技術文献】
【特許文献】
【０００４】
【特許文献１】特開平１１−２２０９９４号公報
【特許文献２】特開２００７−１１７０１０号公報
【発明の概要】
【発明が解決しようとする課題】
【０００５】
しかしながら、上記従来の人力による除去方法では、時問がかかるとともに、腰をかがめての作業など作業者の肉体的負担が大きい。噴霧器を用いて除草剤を散布する方法では除草しようとする雑草以外にその周辺、特に近接する有用作物や樹木にも除草剤がかかってしまうおそれがあり、また散布作業者も被曝するおそれがある。
【０００６】
また、これら従来の方法の間題点を解決して、選択的に雑草のみに除草剤を塗布するべく、特許文献１及び２のようにローラを用いる方法、あるいはスティック状やモップ状の塗布装置を用いる方法も試行されている。しかし、これらにも塗布量のコントロールや、有用作物への付着対策が十分になされていないという問題や、薬品によっては葉や茎の表面への塗付のみでは雑草に十分浸透しないという問題があった。
【０００７】
このように除草剤による方法では有用作物に悪影響が出ること、またその対策も確立していないことから、例えば大豆の農場においては、毎年夏の盛りに人力による雑草の駆除を行わざるを得ないケースがある。この場合、雑草駆除は茎から上を切断するのみではすぐにまた生えてきてしまうため、根っこから引き抜かねばならず、大変な重労働となっている。作物も雑草も背丈が高く1ｍ以上にも達するため、暑さと疲労のため作業中に倒れてしまうと発見が困難で、重大な事態になるおそれもある。また引き抜いた雑草は広大な圃場の外へ持ち出すことは困難なために圃場内に放置せざるを得ず、これがシードバンク（埋土種子集団）の原因となり、次シーズン以降の雑草発生の原因となる。
【０００８】
本発明は上記問題点を解決して、除草剤を用いて雑草を枯死させる場合に、対象雑草の茎葉のみに除草剤を塗布し、近接する有用作物への被曝を防止するとともに、作業の安全性確保と迅速化、およびシードバンクの抑制を図る除草剤の塗布装置を提供することを課題とする。
【課題を解決するための手段】
【０００９】
上記課題を解決するために請求項１の発明は、上アゴと下アゴが支点で結合されたワニロ状の開閉自由な塗布器と、携行可能な薬液ボトルと、塗布器に薬液ボトルから薬液を供給する吸液ホースとからなり、塗布器は、上アゴと下アゴの先端に各々配設される固定体と、支点に配設されたアゴ支点ピンに軸支される歯車装置と、上アゴの長手方向に沿って固定され、ヘッド部が塗布器の先端側に配設されるシリンダ及びピストンと、を備え、シリンダのヘッド側には、ヘッド部に一端を固定され、他端を上アゴの固定体を貫通して摺動可能に配設された泡噴出管に連結された通気性のジャバラと、ジャバラとその内部に配設されたスポンジとで構成される空気混合体と、下アゴに固定されたピンと、上アゴに設けられた長穴を前後に摺動可能なピンと、これら２つのピンを連結する連結板とで構成されるリンク機構と、を備え、シリンダのテール側には、中空で矩形断面を有するピストンのロッドと、矩形ロッドの１つの面に形成され、歯車装置の歯車と係合するラックギアと、歯車とラックギアとの係合を設定及び解除するロック機構と、歯車装置の歯車を一方向のみに回転させるラチェット機構と、を備え、ピストンロッドの後端側は吸液ホースの先端と逆止弁を介して連結されており、上下のアゴを閉じることで、歯車装置の歯車が一定方向に所定角度回転し、これによりラックギアを備えるロッドが所定量前進し、シリンダ内の薬液が押し出され、空気混合体内に１回の開閉による所定量の薬液が注入されるとともに、リンク機構により、泡噴出管に連結されたジャバラが上下のアゴの閉動作に連動して収縮し、空気混合体内の薬液を空気と混合させて泡状とし、この所定量の泡状の薬液を泡噴出管の先端より噴出させて固定体に挟み込んだ茎葉に塗布することを特徴とする。これにより、雑草のみに直接薬液を塗布することができ、また除草作業の負荷軽減が図れるとともに作業者の安全が確保でき、さらに近隣への被害や環境汚染を防止することができる。
請求項２の発明は、さらに、アゴ支点ピンは上アゴに設けられた長穴の支点穴内を上下移動可能に係止されており、上アゴの長手中央部にはロック金具が、対応する下アゴ部のピンとともに設けられており、ロック金具とピンとを係止させ、ピンを支点として上下のアゴを閉じることで、アゴ支点ピンを長穴の支点穴内の下方に移動させて歯車装置とラック装置の係合を解除し、この状態でシリンダロッドを後退させることにより、吸液ホースを介して薬液ボトル内の薬液をシリンダ内に吸入することを特徴とする。これにより、簡易な機構で薬液ボトル内の薬液をシリンダ内に吸入することができる。
請求項３の発明は、さらに、薬液ボトルは吸液管、吸液ホース取付け金具、空気抜きを備えることを特徴とする。これにより、薬液ボトルの薬液残量によらず安定した薬液の供給を行うことができる。
請求項４の発明は、さらに、薬液ボトルの吸液ホース取付け金具と、塗布器のピストン後端には薬液流出防止弁が設けられていることを特徴とする。これにより、上アゴと下アゴの作動による塗布作業時にシリンダ内の薬液が吸液ホース内に逆流したり、吸液ホース取付け金具が外れているときに薬液ボトルが転倒した場合、薬液ボトル内の薬液が外部に漏れ出すのを防止することができる。
【発明の効果】
【００１０】
以上説明したように、本発明の除草剤の塗布装置は、雑草の茎葉の一部を塗布器で挟み、除草剤を泡状に塗布することにより、有用植物に除草剤を接触させることなく雑草を枯死させることができる。
また、本発明の除草剤の塗布装置により、除草作業の負荷軽減が図れるとともに、作業者の安全が確保でき、さらに近隣への被害や環境汚染およびシードバンクの発生を防止することができる。
【図面の簡単な説明】
【００１１】
【図１】本発明の塗布装置の一実施形態を示す塗布器の組立図であり、（ａ）は平面図、（ｂ）正面図、（ｃ）は側面図であって、上下のアゴを開いた状態を示す。
【図２】本発明の塗布装置の一実施形態を示す塗布器の組立図であり、（ａ）は平面図、（ｂ）正面図、であって、上下のアゴを閉じた状態を示す。
【図３】本発明の塗布装置の一実施形態を示す塗布器の組立図であり、上下のアゴの開閉によりピストンロッドを前進させる機構を示す。
【図４】本発明の塗布装置の一実施形態を示す塗布器の組立図であり、図３の機構の設定、解除を行う機構を示す。
【図５】本実施形態の薬液ボトルを示す断面図である。
【図６】本実施形態の塗布装置を使用した塗布作業の説明図である。
【図７】本実施形態の塗布器による塗布操作の説明図である。
【発明を実施するための形態】
【００１２】
以下に、本発明における除草剤塗布装置の実施形態について図面に基づいて説明する。
本実施形態は図６の塗布作業の説明図に示すように、塗布器１と薬液ボトル３及び吸液ホース２ａより構成される。まず、塗布器１の構成及び機能について説明する。なお、本発明の塗布装置で使用する除草剤は液状であるため、以下の説明で薬液とも記す。
【００１３】
図１は本実施形態の塗布器の概観図であり、上下アゴ６ａ、６ｂが開いた状態を示す。
上アゴ６ａと下アゴ６ｂは、アゴ両側面に設けた長穴の形状をした上アゴ支点６ｃと円形の下アゴ支点６ｄにアゴ支点ピン６ｅを通して開閉自由に設けられている。上下両アゴの一端にはバネ支点６ｈ、６ｉを設け、引張りバネ６ｇで引き寄せているため、上アゴ６ａと下アゴ６ｂとは常に開く方向に付勢され、また常に長穴の形状をした上アゴ支点６ｃの上部にアゴ支点ピン６ｅが位置している。アゴ支点ピン６ｅには大小それぞれ１個の平歯車が固定されている。
【００１４】
ピストンポンプのシリンダ８ａは上アゴ６ａの中央部に２本のネジ８ｄで固定されている。シリンダヘッド８ｂの先端には空気混合体５ａがネジ止めされており、このネジ５ｂの中央にはシリンダ８ａと空気混合体５ａとが導通する穴５ｄを設けている。空気混合体５ａはジャバラ５ｅにより伸縮自在の形状である。その内部にはスポンジ５ｃが入っている。空気混合体５ａの先端には泡吹き出し口２ｂが設けてある。
【００１５】
ピストン９ａのピストンヘッド９ｂは外周にパッキン９ｄを設け、シリンダ８ａとの機密を保ち、中央に貫通穴９ｅを設ける。ピストンロッド９ｃは角型パイプとし、他端にはネジ部８ｅを設ける。ネジ部８ｅの中央には導通穴を儲けている。ネジ部８ｅには逆支弁金具７ｄを装着し、さらにその先には薬液ボトル３に連結する吸液ホース２ａを接続する。逆支弁金具７ｄの一端に弁座７ｂを設け、弁７ａは弁バネ７ｃにより常に弁座７ｂと密着している。
【００１６】
シリンダテール８ｃの中央にはピストンロッド９ｃが摺動する角穴を設け、ピストン９ａがシリンダ８ａ内を摺動する際に回転を防止する。ピストンロッド９ｃの角面の一方にラックギア１０ｃを設け、アゴ支点ピン６ｅに設けられた平歯車小１０ｂとかみ合い、アゴ支点ピン６ｅの回転とピストン９ａの摺動とが連動している。
【００１７】
図２は上下アゴ６ａ、６ｂを閉じた状態の塗布器１を示す。
シリンダヘッド８ｂの先端に設けた空気混合体５ａのジャバラ５ｅの先端に摺動案内具５ｆを設ける。摺動案内具５ｆは上アゴ６ａに設けた長穴６ｋ、長穴６ｍにネジ５ｇ、ネジ５ｈで前後摺動可能に取り付けてある。長穴６ｍのネジ５ｈには連結板６ｊが揺動自由に取り付けられ、連結板６ｊの他端は長穴６ｍの位置よりやや前方に位置する下アゴ６ｂに設けられた連結板支点６ｆに摺動自由に取り付けてある。
【００１８】
図３は、塗布器１の後端部分の組立図であり、上下アゴ６ａ、６ｂの１回の開閉動作毎に一定量の薬液を送り出すための構成を示す。
下アゴ６ｂの下アゴ支点６ｄより中央よりにツメ支点１０ｅを設け、ツメ支点１０ｅに揺動自由なツメ１０ｄを設ける。アゴ支点ピン６ｅに設けられた平歯車大１０ａにツメ１０ｄが常に接しているように巻バネ１０ｇを設け、巻バネ１０ｇの一端はツメ１０ｄの背に掛け、他端は下アゴ６ｂの側面に穴を開けて止める。ツメの作用は、上下アゴ６ａ、６ｂを手で閉めるときには、ツメは平歯車大１０ａの外周をスベリ、次に引張りバネ６ｇの力で上下アゴ６ａ、６ｂが開くときはツメが平歯車大１０ａの歯に食い込み、ラチェットとして働き平歯車大１０ａを回転させ、これに連結するおよびアゴ支点ピン６ｅ及び平歯車小１０ｂを回転させる。
【００１９】
図４は、図３と同じく塗布器１の後端部の組立図であるが、上記薬液の定量送り込み機構の設定、解除を行う機構について説明するための図である。
下アゴ６ｂに設けられたツメ支点１０ｅとほぼ対称の位置の上アゴ６ａにロック支点１０ｉを設ける。ロック支点１０ｉにはロック金具１０ｈが揺動自由にネジ止めされている。ロック金具１０ｈには切り込み部１０ｊを設ける。ツメ支点ピン１０ｆは下アゴ６ｂ側面よりさらに外部へ突き出させ、ロック金具の切り込み部１０ｊが引っかかる形状とする。ロック金具１０ｈをツメ支点ピン１０ｆに引っ掛けた状態で上下アゴ６ａ、６ｂを閉める方向に力を加えると、ピストンロッド９ｃに設けたラックギア１０ｃとアゴ支点ピン６ｅに設けた平歯車小１０ｂが離れ、ピストン９ａが摺動自由になる。
【００２０】
次に、図５で薬液ボトル３の構成及び機能について説明する。
薬液ボトル３は薬液の原液または希釈された薬液が携行可能な大きさであって、上部にネジが設けられている。このネジにキャップ３ｍが嵌合し、パッキン３ｎにより液モレを防止している。キャップ３ｍの平面部には吸液金具３ｌを取り付ける穴が設けられている。吸液金具３ｌの下部には、ナット３ｐでキャップ３ｍを挟み込むことにより、吸液金具３ｌをキャップ３ｍに固定するネジが設けられている。吸液金具３ｌの中央部には空気穴３ｋが設けられており、薬液ボトル３内の薬液が減少するにつれ空気を供給し、ボトル内の圧力を大気圧に保つ。吸液金具３ｌの上部には、液漏れ防止金具３ｊを止めるネジが設けられている。吸液金具３ｌの中心部を通って下部方向には吸液菅３ｃが設けられている。吸液菅３ｃは、薬液ボトル３にキャップ３ｍを締めこんだときにボトルの底から薬液が吸入可能な長さに調節されており、薬液残量が少なくなった場合でも空気混入を抑え、ポンプ送液量を一定に保つ。
【００２１】
空気穴用弁３ｑは、ゴムなどの柔軟な素材で構成されており、内径を吸液菅３ｃ外径よりやや小さくし、挿入した場合に抜け落ちないよう密着する径となっている。空気穴用弁３ｑは吸液金具３ｌの下端面に密着させて取り付けられ、ボトルが転倒した場合に薬液が空気穴３ｋからこぼれないようにする。また、空気穴用弁３ｑはポンプ塗布器を作動し、吸液されてボトル内が負圧になった時には弾力により外径側が下側に反り、吸液金具３ｌの下端との密着面に隙間を生じさせ、空気穴３ｋからボトル内に空気が送り込まれる。
【００２２】
液モレ防止金具３ｊは、吸液金具３ｌ上部に取り付けられており、その内壁には弁座３ｇが設けられている。液モレ防止金具３ｊの上部外周には吸液ホース取付け金具３ｅがネジにより取り付けられている。液モレ防止金具３ｊの内部にはバネ３ｉがセットされており、バネ３ｉの下端は吸液金具３ｌの上端面に接し、バネ３ｉの上端はボール３ｈに接している。塗布器不使用時は吸液ホース取付け金具３ｅが取り外された状態となるが、その際はバネ３ｉによりボール３ｈが弁座３ｇに押し付けられ、薬液ボトル３が転倒しても薬液がこぼれないように密封される。
【００２３】
吸液ホース取付け金具３ｅは、ホース芯３ｄ、袋ナット３ｖ、押し棒３ｆで構成されている。ホース芯３ｄの上端には、他端が塗布器に接続された吸液ホース２ａが挿入されている。ホース芯３ｄの下端には押し棒３ｆが設けられており、ポンプ使用時は吸液ホース取付け金具３ｅを液モレ防止金具３ｊにねじ込むことにより、押し棒３ｆの先端がボール３ｈを押し、ボール３ｈと弁座３ｇの間に隙間をつけて吸液ホース２ａと薬液ボトル３とを連通させ、塗布器により薬液の吸入、塗布が可能な状態となる。なお、この使用状態で薬液ボトル３が転倒した場合でも、塗布器を駆動させない限り薬液がこぼれることはない。薬液ボトル３の携行用のザック３ｔには、肩から吊り下げたりするための吊り金具３ｒと、腰に止めるためのバンド通し３ｓが設けられている。
【００２４】
次に、塗布作業の手順を説明する。
図６のごとく、作業者は薬液ボトル３の吊り下げバンド３ｕを肩に掛け、塗布器１の上アゴ６ａを親指で、下アゴ６ｂを4指で支え持つ。
【００２５】
図１のごとく平時は、上下アゴ支点６ｃ、６ｄをはさんで、一方に上下アゴ６ａ、６ｂに設けたバネ支点６ｈ、６ｉ間のバネ張力と、反対側の連結板６ｊにより、上下アゴ６ａ、６ｂが開いた状態にある。
【００２６】
図４のごとく、ロック金具１０ｈの切り込み部１０ｊをツメ支点ピン１０ｆとあわせ、上下アゴ６ａ、６ｂを閉める方向に力を加えると、ツメ支点ピン１０ｆを支点として上下アゴ６ａ、６ｂの後端は引張りバネ６ｇを伸ばして開く。このとき上アゴ支点６ｃは長穴状に形成してあるためアゴ支点ピン６ｅは上アゴ支点６ｃに沿って上アゴ６ａの下方に移動する。これにより、ピストン９ａのロッド９ｃに設けたラックギア１０ｃとかみ合っていたアゴ支点ピン６ｅの平歯車小１０ｂが外れて隙間ができ、ピストン９ａはロッド９ｃを介して手で自由に摺動することができる。
【００２７】
図４のごとく、この状態で泡噴出口２ｂをキャップ２ｃ等で塞ぎながら、ピストン９ａを手でシリンダ８ａから引き抜く方向へ移動すると、シリンダ８ａ内が負圧となり、ロッド９ｃ他端の逆支弁金具７ｄ内の弁バネ７ｃが作動し、弁７ａと弁座７ｂに間隙ができ、ボトル３の薬液を吸い上げてシリンダ８ａ内に薬液が充満する。ピストン９ａを停止すると負圧がなくなり、逆支弁金具７ｄ内の弁７ａは弁座７ｂに密着し、薬液のボトル３への逆流を防止する。
【００２８】
上下アゴ６ａ、６ｂを握っている手の力を緩めると、引張りバネ６ｇの力により上下アゴ６ａ、６ｂは開き始める。このとき、アゴ支点ピン６ｅは上アゴ支点６ｃの長穴上部に移動し、ピストンロッド９ｃに設けたラックギア１０ｃと平歯車小１０ｂは再び勘合する。シリンダ８ａ内に薬液が充満したら、塞いでいる泡噴出口２ｂを開放し、図４で示したロック金具１０ｉを回転させて、ツメ支点ピン１０ｆから切り込み部１０ｊをはずし、図１及び２に示す位置におき、上下アゴ６ａ、６ｂの開閉時にロックしない状態にする。
【００２９】
このような状態では、図３のごとく、ツメ支点１０ｅに取り付けられたツメ１０ｄは平歯車大１０ａとかみ合い下アゴ６ｂが開くと共に平歯車大１０ａを回転させ、それに連動してアゴ支点ピン６ｅおよび平歯車小１０ｂを回転させる。平歯車小１０ｂはラックギア１０ｃとかみ合っているので、ピストン９ａを移動させる。図１のごとく、ピストン９ａで加圧された薬液はシリンダヘッド８ｂに固定された混合体取付けネジ５ｂを通り空気混合体５ａに入り、混合体５ａの中のスポンジ５ｃに付着する。スポンジ５ｃに付着した薬液は、図２のごとく、次に上下アゴ６ａ、６ｂを閉じたときに連動する空気混合体５ａのジャバラ５ｅ収縮により空気と混合し、同時に泡として泡噴出口２ｂから吐き出される。平歯車大１０ａと平歯車小１０ｂの歯数の組合せにより、１回当りの塗布量の調節をすることができる。本実施例では１回当りの塗布量を０．２ｃｃとしている。
【００３０】
以上が準備段階であり、次に植物体への塗布作業が行われる。以下に説明する。
塗布しようとする植物体（葉または茎）に、下アゴ６ｂの先端に装着した固定体４ｂを添え、上下アゴ６ａ、６ｂを閉じて上アゴ６ａの固定体４ａとで挟むと、連結板６ｊは図１のごとく下アゴ６ｂに設けた連結板支点６ｆを基軸として上アゴ６ａの長穴６ｍをスライド移動し、摺動案内具５ｆおよび空気混合体５ａを構成するジャバラ５ｅを後退させて収縮させ、同時に内部のスポンジ５ｃを圧縮し、スポンジ５ｃ内の空気とスポンジ５ｃに付着した薬液が混和し泡となって泡噴出口２ｂより植物体に塗布される（図２）。塗布された除草剤はその成分である界面活性剤の働きにより、葉の内部に浸透し、雑草体内へ移行し、茎を通って根部へ到達し、雑草を枯死させる。
【００３１】
長穴６ｍのネジ５ｈは連結板６ｊと摺動案内具５ｆとを動かし、この際摺動案内具５ｆが長穴６ｍに沿ってスムーズに移動するために長穴６ｋとネジ５ｇによりガイドしている。手の力を緩めると、引張りバネ６ｇの力により上下アゴ６ａ、６ｂは開き始める。同時に塗布器１を植物体から離し、連結板６ｊおよびネジ５ｈは長穴６ｍをスライドし元の位置に戻り始めるため、摺動案内具５ｆも移動し、空気混合体５ａのジャバラ５ｅは前進して開き、泡噴出口２ｂから空気を吸引し、スポンジ５ｃに空気を含ませる。また同時に、ツメ１０ｄに固定された平歯車大１０ａないし平歯車小１０ｂが回転し、ラックギア１０ｃを前進させ、それによりピストンロッド９ｃが移動して薬液が混合体５ａに注入されスポンジ５ｃに付着する。
【００３２】
以上説明した本発明の除草剤の塗布装置には、グリホサート剤等に代表される浸透移行性の茎葉処理型除草剤が好適に用いられる。
【００３３】
本発明の除草剤の塗布装置は、有用植物と雑草が近接混在している場合でも、雑草の大小に関わらず茎葉の一部を塗布器で挟み除草剤を塗布することにより、有用植物に除草剤を接触させることなく雑草を枯死させることができる。
【００３４】
また、本発明の除草剤の塗布装置により、除草作業時間の短縮、労力の軽減が図れるとともに、薬剤を霧化散布しないためにドリフトによる被曝を防止して作業者の安全が確保でき、さらに近隣への被害や環境汚染を防止することができる。さらに確実に雑草を枯殺できることから、シードバンク（埋土種子集団）を抑制し、次シーズン以降の雑草発生を軽減することができる。
【符号の説明】
【００３５】
１    塗布器
２ａ    吸液ホース
２ｂ    泡噴出口
２ｃ    キャップ
３    薬液ボトル
３ｃ    吸液管
４ａ    固定体（上アゴ）
４ｂ    固定体（下アゴ）
５ａ    空気混合体
５ｃ    スポンジ
５ｄ    穴
５ｅ    ジャバラ
５ｆ    摺動案内具
６ａ    上アゴ
６ｂ    下アゴ
６ｃ    上アゴ支点
６ｄ    下アゴ支点
６ｅ    アゴ支点ピン
６ｇ    引張りバネ
６ｊ    連結板
６ｋ    長穴
６ｍ    長穴
７ａ    弁
７ｄ    逆止弁金具
８ａ    シリンダ
８ｂ    シリンダヘッド
８ｃ    シリンダテール
９ａ    ピストン
９ｂ    ピストンヘッド
９ｃ    ピストンロッド
１０ａ    平歯車大
１０ｂ    平歯車小
１０ｃ    ラックギア
１０ｄ    ツメ
１０ｈ    ロック金具
１０ｊ    切込み部
【図１】
2011015661.tif 000003
【図２】
2011015661.tif 000004
【図３】
2011015661.tif 000005
【図４】
2011015661.tif 000006
【図５】
2011015661.tif 000007
【図６】
2011015661.tif 000008
【図７】
2011015661.tif 000009